【事件の表示】
　特願２００１−２０２０５０「被記録材の前処理液及びインクジェット記録方法」拒絶査定不服審判事件〔平成１５年　１月１５日出願公開、特開２００３−　１１４８６〕について、次のとおり審決する。
【結　論】
　本件審判の請求は、成り立たない。
【理　由】
Ｉ．手続きの経緯
　本願は平成１３年　７月　３日の出願であって、平成２１年１０月２３日付けで拒絶理由が通知され、平成２２年　１月２８日付けで拒絶査定され、これに対し、同年　４月２６日に拒絶査定に対する審判請求がなされるとともに、同年同日付けで手続き補正書が提出され、その後当審の審尋に対する回答書が平成２２年８月１３日付けで提出されたものである。
　
II．平成２２年　４月２６日付け手続補正書の却下の決定
　
[補正却下の決定の結論]　
　平成２２年　４月２６日付けの手続補正（以下、「本件補正」という。）を却下する。
　
[理由]
１．補正後の本願発明
　本件補正は、補正前（出願時）の請求項１に対し、「シリコーン化合物を含有しないこと」と補正する補正事項を含む。
　当該本件補正事項は、請求項１の「被記録材の前処理液」が「シリコーン化合物を含有しない」とする限定を付したものであるから、平成１８年法律第５５号改正附則第３条第１項によりなお従前の例によるされる同法による改正前の特許法第１７条の２第４項第２号の特許請求の範囲の限縮を目的とするものに該当する。
　そこで、本件補正後の前記特許請求の範囲における請求項１に記載された発明（以下、「本願補正発明」という。）が、特許出願の際に独立して特許を受けることができるものであるかどうかについて以下に検討する。
　
２．引用刊行物
２−１．引用刊行物１
　本願出願前に頒布された特開昭６３−２９９９７１号公報（平成２２年　５月２１日付け前置報告書における引用文献１）には以下の事項が記載されている。（下線は当審にて付与した。）
　　
　１．
記録媒体上に１分子当り２個以上のカチオン性基を有する有機化合物を含有する無色又は淡色の液体を付着した後、その液体の付着部分に、アニオン染料を含有するインクを付着させて画像を形成せしめることを特徴とするインクジェット記録方法
 (第1頁左下欄「２．特許請求の範囲」)
　　
　上記の
高分子カチオン性有機化合物の商品名としては、サンフィックス４１４．４１４−Ｃ５５５、５５５ＵＳ、７０、ＰＲＯ−１００（以上三洋化成社製）
(第４頁右上欄第４〜１８行)
　　
　なお、これらの高分子カチオン性化合物はあまり分子量が大きいと、溶解性が悪くなる。
　溶液の粘度が高くなり過ぎるという問題が生じるから、本発明方法では好ましくは分子量１０万以下のものが用いられる。特に
好ましくは前記のカチオン性基を１分子中に５〜２００個含む分子量２００００以下の化合物である
(第４頁右上欄第１９行〜同頁左下欄第５行)
　　
＜１−Ａ＞
　こうした有機カチオン性化合物の無色又は淡色の液体中の含有量は特に制限はないが、後から付与されるインクの染料のアニオン性基に対して1/10〜100当量好ましくは1/2〜10当量が単位面積の記録媒体に付与されるような濃度で用いることが好適である。
（第５頁左上欄第７〜１２行）
　　
　
本発明のインクジェット記録方法は、これら有機カチオン性化合物含有溶液（有機カチオン性化合物を含有する無色又は淡色の液体）、インク（アニオン性基を有する染料を含有するインク）および記録媒体を用い、先ず、有機カチオン性化合物含有溶液をインクによって印字を行なうのに先立って（望ましくは印字を行なう直前に）記録媒体に付着せしめ、特に記録媒体を加熱したり強制的な乾燥を行なうことなく、有機カチオン性化合物含有溶液を付着せしめた部分に前記のインクを付着せしめることによって、染料中のアニオン性基と有機カチオン性化合物中のカチオン性基とが結合して溶媒に不溶又は難溶の塩が形成され、これが画像として表われるというものである
　
有機カチオン性化合物含有溶液を記録媒体に付着せしめる方法としては
ローラーにより記録媒体の全面に有機カチオン性化合物含有溶液を付着せしめる方法
(第８頁左上欄第１２行〜右上欄第１５行)
　　
実施例
（ここでの％は重量基準である。）
　まず下記の処方によって６種の有機カチオン性化合物含有溶液、１９種のインク（５種のイエローインク、７種のマゼンタインク、５種のシアンインク、２種の黒色インク）を調製した。
（有機カチオン性化合物含有溶液Ｐ−１）
ポリアリルアミン　　　　　　　　　　　　　　　　　　　　５．０％
グリセリン　　　　　　　　　　　　　　　　　　　　　　１０．０％
エチレングリコール　　　　　　　　　　　　　　　　　　１１．０％
ジエチレングリコール　　　　　　　　　　　　　　　　　２０．０％
ジエチレングリコールモノブチルエーテル　　　　　　　　１２．０％
デヒドロ酢酸ソーダ　　　　　　　　　　　　　　　　　　　０．１％
精製水　　　　　　　　　　　　　　　　　　　　　　　　　　　残部
　　
（有機カチオン性化合物含有溶液Ｐ−２）
ポリエチレンイミン　　　　　　　　　　　　　　　　　　　３．０％
グリセリン　　　　　　　　　　　　　　　　　　　　　　１０．０％
ジエチレングリコール　　　　　　　　　　　　　　　　　２３．０％
ジエチレングリコールモノフェニルエーテル　　　　　　　　５．０％
デヒドロ酢酸ソーダ　　　　　　　　　　　　　　　　　　　０．１％
精製水　　　　　　　　　　　　　　　　　　　　　　　　　　　残部
(第９頁左下欄第１３行〜同頁右下欄第１６行）
　　
　印字結果は表−２のとおりであった。
　　(第１３頁左上欄)
　　
〔効果〕
本発明のインクジェット記録方法によれば下記のような効果がもたらされる
（イ）
インク中の染料と有機カチオン性化合物含有溶液中のカチオン性基とが結合し、有機カチオン性化合物を媒介として染料が結合し、水不溶の集合体を形成するため、画像の耐水性が著しく向上する
（ロ）
染料が集合体となるため、染料が紙の内部まで浸漬せずに紙の表面近傍にとどまるため、画像の鮮明性、濃度が向上する。また紙の表面方向にも溶媒が浸透するのみで染料が拡がらないためシャープネスがよく、解像度の高い画像が得られる
（ハ）
染料が集合体となるため上記のように紙の面方向への色材の浸透が迎えられるため、表面張力が低く乾燥し易いインクを用いても画像にじみを生じない、従って乾燥性を向上できる
（ニ）
有機カチオン性化合物含有溶液中の浸透剤により表面張力の高いインクを用いても乾燥性は高まる
（ホ）
染料と有機カチオン性化合物との集合体の耐光性は染料が集合体を形成しない場合に比較して向上する
（へ）
耐水性を考慮せずにインクに使用する染料が選択できるため耐ノズル目詰り性、色調の改良が可能である
(第１３頁右下欄第２行〜第１４頁左上欄第１０行)
　　
　これらの記載事項から、引用刊行物１には次の発明（以下、「引用発明１」という。）が記載されているものと認められる。
「記録体上に１分子当たり２個以上のカチオン性基を有する有機化合物であって、カチオン性基を１分子中に５〜２００個含む分子量２００００以下のポリアリルアミン、ポリエチレンイミン等含有する無色又は単色の液体を付着した後、その液体の付着部分に、アニオン染料を含有するインクを付着させて画像を形成するインクジェット記録方法に使用される無色又は単色の液体」
　　
　そして、引用刊行物１には、カチオン性基を有する有機化合物として、
「サンフィックス４１４、４１４−Ｃ５５５、５５５ＵＳ、７０、ＰＲＯ−１００（以上三洋化成社製）」が使用できることが記載されており(引用刊行物１(第４頁右上欄第５〜６行))、
　無色又は単色の液体の付着方法としては、
「ローラーにより記録媒体の全面に付着せしめる方法」(引用刊行物１(第８頁右上欄第１０行))があることが記載されている。
　　
２−２．引用刊行物２
　本願出願前に頒布された特開平１０−９５１０７号公報（平成２２年　５月２１日付け前置報告書における引用文献２）には以下の事項が記載されている。（下線は当審にて付与した。）
　　
【請求項１】
液体組成物及び着色インクを併用して被記録媒体にカラー画像を形成するインクジェット記録方法において、上記液体組成物が重量平均分子量４００〜１，４００の範囲にあるカチオン性ポリマーを含有
【請求項１３】
着色インクが、アニオン性基を有する染料を含む水性インク
【請求項１４】
着色インクが、アニオン性化合物と顔料とを含む水性インク
【請求項１５】
液体組成物の吐出を着色インクの吐出に先立って行う
　　
【００１２】以上の如き本発明において用いる液体組成物が、上記したような顕著な効果を示す理由は明らかではないが、
液体組成物中のカチオン性ポリマーと、インク中の色材との間において
インクとしてアニオン性基を有する水溶性染料を含有するインクを用いた場合には、前記液体組成物中のカチオン性ポリマーの低分子量成分が、イオン的及び／又は分子的相互作用により、上記染料と結合して溶液相から染料の分離を起こし、染料の凝集体を形成する。又、アニオン性化合物を含有する顔料インクの場合にも、液体組成物中のカチオン性ポリマーの低分子量成分が、イオン的及び／又は分子的相互作用により上記顔料と結合して顔料の分散破壊が起こり、顔料の凝集体が形成される
【００１３】そして、
次に染料の凝集体或いは顔料の凝集体が、液体組成物中のカチオン性ポリマーの高分子量成分に吸着され、より大きなサイズの凝集体を形成し、これらの凝集体が紙等の被記録媒体の繊維の間隙に入り込みにくくなることで、被記録媒体上での染料又は顔料の移動度が、溶媒の移動度よりも極めて小さくなる。そして、この反応が極めて高速で起こる
高品位のインクジェット記録による画像形成が可能
【００１４】同時に上述したようなメカニズムにより
生成したカチオン性ポリマーとアニオン性染料、又は顔料インク中のアニオン性化合物と顔料とで形成される凝集体自体の流動性が低下し、インクの液媒体の動きと共に移動することがないので、前述したフルカラー画像形成時のように隣接したドットが異色のインクで形成されていたとしても、互いに混じり合うことがなく、ブリーディングも起りにくい
凝集体は、本質的に水不溶性であるので形成された画像の耐水性は非常に向上する
【００６５】
【実施例】次に実施例を挙げて本発明をより具体的に説明する。
実施例１〜６
液体組成物Ｓ−１〜６を調製した。
Ｓ−１
・ポリアリルアミン（重量平均分子量Ｍｗ＝６００）        ４．０重量％
・グリセリン                                            ７．０重量％
・ジエチレングリコール                                  ５．０重量％
・酢酸                                                  ３．５重量％
・水                                                            残部
【００６６】
Ｓ−２
・ポリアリルアミン（重量平均分子量Ｍｗ＝６００）        ４．０重量％
・塩化ベンザルコニウム（三洋化成製  Ｇ−５０）          ０．５重量％
・グリセリン                                            ７．０重量％
・ジエチレングリコール                                  ５．０重量％
・酢酸                                                  ３．５重量％
・水                                                            残部
【００６７】
Ｓ−３
・ポリアリルアミン（重量平均分子量Ｍｗ＝６００）        ４．０重量％
・塩化ベンザルコニウム（三洋化成製  Ｇ−５０）          ０．５重量％
・グリセリン                                            ７．０重量％
・ジエチレングリコール                                  ５．０重量％
・トリエチレングリコールモノブチルエーテル              ３．０重量％
・水                                                            残部
【００６８】
Ｓ−４
・ポリアリルアミン（重量平均分子量Ｍｗ＝１３００）      ４．０重量％
・グリセリン                                            ７．０重量％
・ジエチレングリコール                                  ５．０重量％
・酢酸                                                  ３．５重量％
・水                                                            残部
【００６９】
Ｓ−５
・ポリアリルアミン（重量平均分子量Ｍｗ＝１３００）      ４．０重量％
・塩化ベンザルコニウム（三洋化成製  Ｇ−５０）          ０．５重量％
・グリセリン                                            ７．０重量％
・ジエチレングリコール                                  ５．０重量％
・酢酸                                                  ３．５重量％
・水                                                            残部
【００７０】
Ｓ−６
・ポリアリルアミン（重量平均分子量Ｍｗ＝１３００）      ４．０重量％
・塩化ベンザルコニウム（三洋化成製  Ｇ−５０）          ０．５重量％
・グリセリン                                            ７．０重量％
・ジエチレングリコール                                  ５．０重量％
・トリエチレングリコールモノブチルエーテル              ３．０重量％
・水                                                            残部
【００７１】次にＢｋ、Ｙ、Ｍ、Ｃとして以下の組成のカラーインクＢｋ−１、Ｙ−１、Ｍ−１、Ｃ−１を調製した。
Ｂｋ−１
・Ｃ．Ｉ．ダイレクトブラック１６８                      ２．５重量％
・Ｃ．Ｉ．ダイレクトブルー１９９                        ０．５重量％
・Ｃ．Ｉ．ダイレクトイエロー８６                        ０．３重量％
・グリセリン                                            ８．０重量％
・エチレングリコール                                    ８．０重量％
・尿素                                                  ５．０重量％
・水                                                            残部
【００７２】
Ｙ−１
・Ｃ．Ｉ．ダイレクトイエロー１３２                      ２．５重量％
・グリセリン                                            ７．０重量％
ジエチレングリコール                                  ８．０重量％
・アセチレングリコール系界面活性剤                      ０．７重量％
（川研ファインケミカル製アセチレノールＥＨ）
・水                                                            残部
【００７３】
Ｍ−１
・Ａｃｉｄ  Ｒｅｄ  ９２                                ２．５重量％
・グリセリン                                            ７．０重量％
・ジエチレングリコール                                  ８．０重量％
・アセチレングリコール系界面活性剤                      ０．７重量％
（川研ファインケミカル製アセチレノールＥＨ）
・水                                                            残部
【００７４】
Ｃ−１
・Ｃ．Ｉ．Ｄｉｒｅｃｔ  Ｂｌｕｅ  １９９                ３．０重量％
・グリセリン                                            ７．０重量％
・ジエチレングリコール                                  ８．０重量％
・アセチレングリコール系界面活性剤                      ０．７重量％
（川研ファインケミカル製アセチレノールＥＨ）
・水                                                            残部
【００７５】以上のように調製した液体組成物及びインクをヘッド構成例２で示されるのと全く同様の構成のヘッドで各インク及び液体組成物の吐出量が次のようになっているヘッドを使用して６００ｄｐｉのカラー記録を行った。
・液体組成物                                        １５ｐｌ／ｄｏｔ
・Ｂｋ−１                                          ２０ｐｌ／ｄｏｔ
・Ｙ−１                                            １５ｐｌ／ｄｏｔ
・Ｍ−１                                            １５ｐｌ／ｄｏｔ
・Ｃ−１                                            １５ｐｌ／ｄｏｔ
【００７６】尚、液体組成物の被記録媒体上の塗布位置は、インクが記録される位置と正確に重なるように電気的に調整した。又、画像を記録する被記録媒体は、キヤノン製ＰＢ用紙（複写機とインクジェット記録用の共用紙）を使用した。評価項目、評価方法及び評価基準は以下の通りとした。
【００７７】（１）画像濃度
Ｂｋベタ部の画像濃度をマクベスＲＤ９１５で測定。ＯＤ値１．３５以上を◎、１．３以上１．３５未満を○、１．２以上１．３未満を△、１．２未満を×とした。
（２）カラーブリード
イエローベタ背景中のブラックの抜き文字を印字し、そのブリードの状態を目視で評価した。評価結果は以下のように分類した。
◎：ブリードが全く認識できない。
○：ややブリードが起こっているが実用上問題ない。
△：ブリードが起こっており実用上問題有り。
×：実用上問題有り。
【００７８】（３）耐水性
Ｂｋ、Ｙ、Ｍ、Ｃ、Ｒ、Ｇ、Ｂそれぞれのベタ印字後、１日後、水道水に３秒漬けた後乾燥させ初期ＯＤ値と試験後のＯＤ値を比較して、残存ＯＤ率を求めた。
◎：残存ＯＤ値９５％以上。
○：残存ＯＤ値８５％以上９５％未満。
△：残存ＯＤ値７５％以上８５％未満。
×：残存ＯＤ値７５％未満。
【００７９】（４）液体組成物の吐出安定性（周波数応答性）
吐出周波数８ｋＨｚの時の１ドットあたりの吐出体積が、吐出周波数１００Ｈｚの時の１ドットあたりの吐出体積の何％になるかで評価した。
◎：９０％以上。
○：８０％以上９０％未満。
△：７０％以上８０％未満。
×：７０％未満。
（５）液体組成物のスタートアップ特性（発一性）
図１２のようなドットラインを数行（１０行）繰り返して印字した後、一定時間の休止を入れる。その後、再び同じパターンを印字しようとした後、正常な印字の行える最長の休止時間を測定し、スタートアップ特性の評価とした。測定環境は２５℃、５０％ＲＨとした。
◎：最長休止時間  １０秒以上。
○：最長休止時間  ５秒以上１０秒未満。
△：最長休止時間  ３秒以上５秒未満。
×：最長休止時間  ３秒未満。
【００８０】（６）液体組成物の耐固着性
記録ヘッドとインク収容部を結合した状態で記録ヘッドにキャッピングゴムによりキャッピングを施し、３５℃で１０％ＲＨの環境下に２週間放置した後、２５℃で５０％ＲＨの環境下に２時間放置した。その状態で通常の吸引回復系を使用し、何回の吸引で印字が正常に戻るかを測定し、耐固着性の評価とした。
◎：２回以内で回復。
○：５回以内で回復。
△：１０回以内で回復。
×：何回吸引しても不吐出ノズルがあり完全には正常な印字に戻らない。
【００８１】
【表１】表１：実施例１〜６の評価結果
　　
　これらの記載事項から、引用刊行物２には次の発明(以下、「引用発明２」という。) が記載されているものと認められる。
「アニオン性基を有する染・顔料を含む水性インクを着色インクとして使用するインクジェット記録方法において、着色インクの吐出に先だって付与される、カチオン性ポリマーを含有する液体組成物」
　　
２−４．引用刊行物３
　本願出願前に頒布された特開平８−１４２５００号公報(原査定における引用文献１)には以下の事項が記載されている。（下線は当審にて付与した。）
　
【請求項１】シリコーン化合物と
カチオン性化合物を少なくとも含有した無色の液体組成物を記録媒体に塗布した後、アニオン性化合物を含有する記録インクをインクジェット方式により付着させることを特徴とする画像形成方法
【請求項５】
無色の液体組成物をローラーによって塗布する請求項１に記載の画像形成方法
　　
【０００９】
【作用】
本発明では、無色の液体組成物と記録インクが記録媒体上或いは記録媒体に浸透した所で混合する結果、無色の液体組成物中に含まれるカチオン性化合物と記録インク中に含まれるアニオン性化合物が静電的に結合して瞬間的な凝集
色材は滲みを起こさない
【００１０】
カチオン性化合物とアニオン性化合物とで形成される凝集体は粘性が大きくなり、液媒体の動きとともに移動することがないので、従来技術の様に定着性を速めても文字又は画像のエッジのシャープさが失われず、良好な印字品位が得られる。又、上記凝集体は本質的に水不溶性であり、形成された画像の耐水性は完全なものとなる
  　
【００１１】
【好ましい実施態様】次に好ましい実施態様を挙げて、本発明を更に詳細に説明する。先ず、本発明に用いられる無色の液体組成物について述べる。本発明に用いられる無色の液体組成物に含有されるべき必須成分は、シリコーン化合物とカチオン性化合物である。このシリコーン化合物の機能は無色の液体組成物の長期にわたっての使用を可能にすることであり、又、上記
カチオン性化合物の機能は、後述する記録インク中に含有される水溶性アニオン性染料と静電的引力により結合し凝集体を形成
　　
【００１４】本発明で用いられる
カチオン性化合物は、分子中にカチオン性基を有するものであれば特に限定されないが、好ましい化合物はカチオン性高分子化合物
　　
【００３９】本発明の画像形成方法においては、前述の
無色の液体組成物を記録媒体に塗布する方法としては、スプレー、インクジェット、刷毛塗り等種々の方法が使用されるが、好ましい方法はローラー塗布方法である。本発明では、前記無色の液体組成物を、例えば、ローラーによって記録媒体上に均一に塗布してから、色材を含む記録用のインクを付着させる
【００４２】
図４及び図５に、上記ヘッドを組み込んだ本発明の画像形成方法によるインクジェット記録装置の一例を示す。図４において記録媒体は、紙送りローラー４２と
カチオン性化合物とを主成分とする無色の液体組成物を塗布するコーティングローラー４３との間に挟み込まれて通過するが、この時コーティングローラー４３は無色の液体組成物が蓄えられたタンク４４に浸されながら回転しており、該液体組成物を常に補充しながら記録媒体の片面に一様に塗布する。その後、該塗布面に対して記録ユニット４１により画像を記録する。図５においては、無色の液体組成物が充填された多孔質性のコーティングローラー４５が回転しながら記録媒体の片面に一様に無色の液体組成物を塗布する。その後、該塗布面に対して記録ユニット４１により画像を記録する
【図４】及び【図５】は次のとおり。
【図４】
【図５】
【実施例】以下に、実施例及び比較例を用いて、本発明を更に具体的に説明する。尚、文中「部」又は「％」とあるのは、特に断りのない限り全て重量基準である。
実施例１〜１２
先ず、下記表１及び表２に示した成分を混合し、乳化或いは相溶化させ、本発明に用いる無色の液体組成物Ｍ−１〜Ｍ−６を得た。
【００４４】表１：実施例１〜３の無色の液体組成物の成分
※表注、
ＰＶＡｍ：ポリビニルアミン
Ｑ−１０１：ポリアミン系カチオンポリマー［ハイモ（株）］製
Ｑ−１０５Ｈ：ジシアンジアミド系カチオンポリマー［ハイモ（株）製］
シリコーンオイル：シンエツシリコンＫＦ９６（信越シリコン製）
【００４５】表２：実施例４〜６の無色の液体組成物の成分
※表注、
サンフロック７００：水溶性カチオンポリマー（三洋化成製）
カチオマー３００：水溶性カチオンポリマー（三洋化成製）
Ｑ−３１１：ポリアミン系カチオンポリマー［ハイモ（株）製］
Ｘ−２２−６００８：ポリエーテル変性シリコーンオイル（信越シリコーン製）
ＫＦ−７００：親水性特殊変性シリコーン（信越シリコーン製）
　　
【００５９】次に、上記の様にして得られた無色の液体組成物及び各色の記録インクを用いて、市販のコピー用紙に記録を行った。先ず、市販のコピー用紙の片面全面にローラーを用いて無色の液体組成物を塗布した。この塗布面にインクジェット方式によってインクを吐出させ記録を行った。使用したインクジェット記録装置としては、図４に示したものと同様の記録装置を用いた。尚、ここで用いた記録ヘッドは３６０ｄｐｉの記録密度を有し、駆動条件としては、駆動周波数５ｋＨｚとした。又、１ドット当たりの吐出体積は５５ｐｌであった。これらの記録条件は、実施例及び比較例を通じて一定である。又、印字テストの際の環境条件は、２５℃／５５％ＲＨに統一してある。
【００６０】記録画像の評価は、以下の方法で行った。
（１）画像濃度
無色の液体組成物の塗布面にベタ画像をブラックのインクで形成し、１２時間放置後の濃度を反射濃度計マクベスＲＤ９１５（マクベス社製）にて測定した。評価基準は以下の通り。
◎：反射濃度が１．２５以上
○：反射濃度が１．２０以上、１．２５未満
△：反射濃度が１．１０以上、１．２０未満
×：反射濃度が１．１０未満
【００６１】（２）定着性
無色の液体組成物の塗布面に、ブラックのベタ画像を形成した。画像を形成した後、印字部を指で擦っても画像の流れが生じなくなる迄の時間を測定し、この値を定着性とした。評価基準は以下の通り。
○：定着性が２０秒未満
△：定着性が２０秒以上、３０秒未満
×：定着性が３０秒以上
【００６２】（３）文字品位
無色の液体組成物の塗布面に、ブラックの英数文字を印字し、目視にて評価した。フェザリングの目立たないものを○として、それ以下のレベルのものについては×とした。
【００６３】（４）ブリーディング
無色の液体組成物の塗布面に、イエロー、マゼンタ、シアン及びブラックの各色のベタ部を隣接して印字し、各色の境界部でのブリーディングの程度を目視により観察した。ブリーディングが実質上問題ないレベルにあるものを○とし、それ以外のレベルにあるものを×とした。
【００６４】（５）耐水性
（１）の試験で得られた画像と同じものを３０分放置後、水温２０℃の水道水中へ３秒間浸漬して画像の残存状態を目視にて評価した。画像の流れの全く生じないものを○とし、それ以外のレベルのものは×とした。
【００６５】比較例１〜４
カチオン性高分子化合物を全く含まないことを除いては、実施例で用いたものと同じ無色の液体組成物をローラーにより塗布し、実施例と同様の印字及び評価を行った。尚、比較例で用いたシリコーンオイルを以下に示す。
比較例１：ＫＦ−９６
比較例２：ＫＦ−３３５
比較例３：ＫＦ−７００
比較例４：Ｘ−２２−６００８
【００６６】表３：評価試験の結果
【００６７】
【発明の効果】以上の如く、普通紙に対するインクジェット記録を行う際に、本発明によれば、高印字品位、完全耐水、高速定着、高発色及びブリードレスのフルカラー画像を得ることができる。
　
これらの記載事項から、引用刊行物３には次の発明（以下、「引用発明３」という。）が記載されている。（引用刊行物３実施例２・３・６を中心に認定した。）
「カチオン性高分子化合物として、
Ｑ−１０１(ポリアミン系カチオンポリマー：ハイモ(株)製)、
Ｑ−１０５Ｈ（ジシアンジアミド系カチオンポリマー：ハイモ(株)製)、
Ｑ−３１１（ポリアミン系カチオンポリマー：ハイモ(株)製)
を含有した無色の液体組成物をローラーによって塗布した後、水溶性アニオン性染料を含有する記録インクをインクジェット方式により付着させ、カチオン性化合物が記録インク中に含有される水溶性アニオン性染料と静電的引力により結合し凝集体を形成する画像形成方法」
　　
３．対比・判断
　本願補正発明と引用発明１−２とを対比すると、
　引用発明１の
「アニオン染料を含有するインクを付着させて画像を形成するインクジェット記録」、
「無色又は単色の液体を付着した後」で「インクを付着させて画像を形成」される際に使用される「無色又は単色の液体」、
「記録体上に１分子当たり２個以上のカチオン性基を有する有機化合物」であって、「ポリアリルアミン、ポリエチレンイミン等」、
　引用発明２の
「アニオン性基を有する染・顔料を含む水性インクを着色インクとして使用するインクジェット記録」、
「着色インクの吐出に先だって」「付与される」「液体組成物」、
「カチオン性ポリマー」、
は、それぞれ、
本願補正発明の、
「アニオン性成分を含む記録液を液滴として吐出して被記録材に付着させることにより画像を形成する」、
「画像を形成する前に」「被記録材に付与する前処理液」、
「カチオン性樹脂」、
に相当する。
　そして、引用発明１においては、カチオン性成分としては市販品の「サンフィックス４１４、４１４−Ｃ５５５、５５５ＵＳ、７０、ＰＲＯ−１００(以上三洋化成社製)」が使用されることが記載されているが、当該製品は本願明細書【００２５】において、カチオン度３〜７meq／g(pH4.0)のカチオン性樹脂として説明されている材料であるから、引用発明１において、本願補正発明の「カチオン度３〜７meq／g(pH4.0)」を満たす。
　引用刊行物１においては、前処理液は「ローラーにより記録媒体の全面に付着せしめる方法」が記載されており、ローラーによる付着は、本願補正発明１の「被記録材に当接する付与手段」に相当する。
　また、引用発明１−２においてはいずれも被記録材の前処理液はシリコーン化合物を含有していない。
　
　したがって、本願補正発明と引用発明１は発明特定事項に差異がない。
　また、本願補正発明における「被記録材に当接する付与手段」は、「被記録材の前処理液」の構成を何等規定するものではないから、本願補正発明と引用発明１とは発明特定事項上、区別することができないとも言える。
　　
　次に、本願補正発明と引用発明２とを対比すると、両者は
「アニオン性成分を含む記録液を液滴として吐出して被記録材に付着させることにより画像を形成する前に、被記録材に付与手段で被記録材に付与する前処理液であって、記録液中のアニオン性成分を不溶化する成分として、カチオン性樹脂を含有し、シリコーン化合物を含有しない無色もしくは単色の被記録材の前処理液」である点で一致し、
以下の点で相違点を有している。
　
[引用発明２との相違点１]
　本願補正発明においては、カチオン性樹脂のカチオン度が３〜７meq／g(pH4.0)であるのに対して、引用発明２においてはカチオン度の規定がない。
[引用発明２との相違点２]
　本願補正発明においては、被記録材に前処理材を付与する手段が「被記録材に当接する」手段であるのに対して、引用発明２においてはそのような特定がない。
　
[引用発明２との相違点１]について検討すると、引用刊行物１の＜１−Ａ＞にはカチオン性樹脂は、「後から付与されるインクの染料のアニオン基に対して1/10〜100当量、好ましくは1/2〜10当量が単位面積の記録媒体に付与されるような濃度で用いる」旨記載されている。引用発明１・２は共に、アニオン性成分を含む記録液を使用したインクジェット記録において、カチオン性樹脂を含む前処理液を付与することにより、記録液注のアニオン性成分を不溶化させる発明であることから、記録液のアニオン性基当量に応じて、前処理液のカチオン性基当量を調整し、カチオン性樹脂のカチオン度を本願補正発明に規定される範囲に求めることは当業者の通常の創作能力の発揮であり、その効果は引用発明１・２から予測される範囲のものである。
　
[引用発明２との相違点２]について検討するに、既に記載したとおり引用刊行物１には前処理液をローラーにて付与する構成が記載され、更に引用刊行物３においても前処理液をローラーで全面塗布する構成が記載されており、このような前処理液をローラーで被記録体全体に塗布することは周知技術に過ぎず、当業者が適宜なし得る事項である。
　よって、本願補正発明は、引用刊行物１に記載された発明であるから、特許法第２９条第１項第３号の規定に該当し、特許出願の際、独立して特許を受けることができない。
　また、本願補正発明は、引用刊行物１−３に記載された発明及び周知技術に基づいて、当業者が容易に発明をすることができたものであるから、特許法第２９条第２項の規定により、特許出願の際、独立して特許を受けることができない。
　
４．むすび
　以上のとおり、本件補正は平成１８年法律第５5号改正附則第３条第１項によりなお従前の例によるとされる同法による改正前の特許法第１７条の２第５項において準用する同法１２６条第５項の規定に反するので、同法第１５９条において読み替えて準用する同法第５３条第１項の規定により却下すべきものである。
　
III．本願発明について
　
１．本願の請求項１に係る発明
　
　平成２２年　４月２６日付け手続補正は上記のとおり却下されたので、本願の請求項１に係る発明は、出願時の本願明細書の特許請求の範囲の請求項１に記載された事項により特定される以下のとおりのものである。
　　
「【請求項１】アニオン性成分を含む記録液を液滴として吐出して被記録材に付着させることにより画像を形成する前に、被記録材に当接する付与手段で被記録材に付与する前処理液であって、記録液中のアニオン性成分を不溶化する成分として、カチオン度（ポリビニル硫酸カリウム試薬によるコロイド当量値）が３〜７ｍｅｑ／ｇ（ｐＨ４．０）のカチオン性樹脂を含有することを特徴とする無色もしくは淡色の被記録材の前処理液。」
　　
２．引用刊行物
　原査定における引用文献１であって、本願出願前に頒布された引用刊行物３（特開平８−１４２５００号公報）の記載事項は、前記「II．２」に記載したとおりである。　
　
３．対比・判断
 　本願の請求項１に係る発明と引用発明３とを対比すると、
　引用発明３における
「カチオン性高分子化合物」、
「無色の液体組成物」、
「ローラーによって塗布」、
「水溶性アニオン性染料を含有する記録インク」、
「インクジェット方式」、
「カチオン性化合物が記録インク中に含有される水溶性アニオン性染料と静電的引力により結合し凝集体を形成する」は、それぞれ、
　本願の請求項１に係る発明における
「カチオン性樹脂」、
「無色の被記録材の前処理液」、
「被記録材に当接する付与手段で被記録材に付与する」、
「アニオン性成分を含む記録液」、
「液滴として吐出して被記録材に付着させることにより画像を形成する」、
「記録液中のアニオン性部を不溶化する」
　に相当する。
　更に、引用発明３におけるカチオン性樹脂としての、
「Ｑ−１０１(ポリアミン系カチオンポリマー：ハイモ(株)製)、
Ｑ−１０５Ｈ（ジシアンジアミド系カチオンポリマー：ハイモ(株)製)、
Ｑ−３１１（ポリアミン系カチオンポリマー：ハイモ(株)製)」は、
　本願明細書【００２５】にカチオン度３〜７meq/g(pH4.0)のカチオン性樹脂として説明されている製品であるから、本願の請求項１に係る発明におけるカチオン度の数値範囲を満たしている。
　　
　したがって、本願の請求項１に係る発明と引用発明１とは、
「アニオン性成分を含む記録液を液滴として吐出して被記録材に付着させることにより画像を形成する前に、被記録材に当接する付与手段で被記録材に付与する前処理液であって、記録液中のアニオン性成分を不溶化する成分として、カチオン度（ポリビニル硫酸カリウム試薬によるコロイド当量値）が３〜７ｍｅｑ／ｇ（ｐＨ４．０）のカチオン性樹脂を含有する無色もしくは淡色の被記録材の前処理液」である点で一致し、
　本願の請求項１に係る発明と引用発明３とは発明特定事項に差異はない。
　
４．むすび
　以上のとおりであるから、本願の請求項１に係る発明は、特許法第２９条第１項第３号の規定に該当し、特許を受けることができないものであって、他の請求項については検討するまでもなく、本願は拒絶すべきものである。　
　よって、結論のとおり審決する。